(57)【要約】【課題】  ポリゴンモータの光の出入口のカバー部材における反射光がレンズに当たって光が反射あるいは散乱して光源や像面に向かわずに画像不具合等の発生を未然に防止する光走査装置及び画像形成装置を提供する。【解決手段】  ポリゴンミラー３に光源からの光が入射し、その走査光がカバー部材６を介して出射するポリゴンモータと、走査光を像面に結像させるレンズ２１ａを含む光学系とを備え、カバー部材での反射光の光線経路がレンズの入射側に関する条件（１）及びレンズの出射側に関する条件（２）の少なくとも一方を満たすように構成する。H<RL-in、-H>RH-in (1)  -H<RL-out、H>RH-out (2)但し、Ｈ：レンズ光軸からのレンズ高さＲL-in：反射光(下方光線)のレンズ入射側のレンズ光軸からの光線高さＲH-in：反射光(上方光線)のレンズ入射側のレンズ光軸からの光線高さＲL-out：反射光(下方光線)のレンズ出射側のレンズ光軸からの光線高さＲH-out：反射光(上方光線)のレンズ出射側のレンズ光軸からの光線高さ【選択図】  図２
2005189435.tif 000002
【特許請求の範囲】
【請求項１】
筐体内にポリゴンミラーを回転可能に収容し、前記ポリゴンミラーに光源からの光が入射し、その走査光が前記筐体に設けた透光性の像面側カバー部材を介して出射するように構成されたポリゴンモータと、前記走査光を像面に結像させるためのレンズを含む光学系と、を備える光走査装置において、
前記像面側カバー部材における反射光の光線経路が前記レンズの入射側に関する次の条件（１）及び前記レンズの出射側に関する次の条件（２）の少なくとも一方を満たすように構成することを特徴とする光走査装置。
Ｈ＜ＲL-in、または、−Ｈ＞ＲH-in  ・・・（１）
−Ｈ＜ＲL-out、かつ、Ｈ＞ＲH-out    ・・・（２）
但し、Ｈ：レンズ光軸からのレンズ高さ
ＲL-in：反射光(下方光線)のレンズ入射側のレンズ光軸からの光線高さ
ＲH-in：反射光(上方光線)のレンズ入射側のレンズ光軸からの光線高さ
ＲL-out：反射光(下方光線)のレンズ出射側のレンズ光軸からの光線高さ
ＲH-out：反射光(上方光線)のレンズ出射側のレンズ光軸からの光線高さ
【請求項２】
前記条件を満たすように前記レンズの高さ、前記レンズの厚さ、前記像面側カバー部材と前記レンズとの間隔、及び前記像面側カバー部材の前記レンズ光軸に対する傾き角度を設定することを特徴とする請求項１に記載の光走査装置。
【請求項３】
光源と、筐体内にポリゴンミラーを回転可能に収容し、前記ポリゴンミラーに前記光源からの光が前記筐体に設けた透光性の光源側カバー部材を介して入射し、その走査光が像面に向けて出射するように構成されたポリゴンモータと、を備え、前記光源と前記光源側カバー部材との間に前記光源からの光を前記ポリゴンミラーに結合するためにレンズを含む光学系が配置された光走査装置において、
前記光源側カバー部材における反射光の光線経路が前記レンズの、反射光入射側に関する次の条件（３）及び前記レンズの、反射光出射側に関する次の条件（４）の少なくとも一方を満たすように構成することを特徴とする光走査装置。
Ｈ＜ＲL-in、または、−Ｈ＞ＲH-in  ・・・（３）
−Ｈ＜ＲL-out、かつ、Ｈ＞ＲH-out    ・・・（４）
但し、Ｈ：レンズ光軸からのレンズ高さ
ＲL-in：反射光(下方光線)のレンズ入射側のレンズ光軸からの光線高さ
ＲH-in：反射光(上方光線)のレンズ入射側のレンズ光軸からの光線高さ
ＲL-out：反射光(下方光線)のレンズ出射側のレンズ光軸からの光線高さ
ＲH-out：反射光(上方光線)のレンズ出射側のレンズ光軸からの光線高さ
【請求項４】
前記条件を満たすように前記レンズの高さ、前記レンズの厚さ、前記光源側カバー部材と前記レンズとの間隔、及び前記光源側カバー部材の前記レンズ光軸に対する傾き角度を設定することを特徴とする請求項３に記載の光走査装置。
【請求項５】
前記光学系が複数のレンズから構成され、前記像面側カバー部材または前記光源側カバー部材より数えて前記複数のレンズの内のｎ番目のレンズ高さをｎ＋１番目のレンズ高さよりも高くすることを特徴とする請求項１乃至４のいずれか１項に記載の光走査装置。（Ｈｎ＞Ｈｎ＋１、または、｜−Ｈｎ｜＞｜−Ｈｎ＋１｜）
【請求項６】
前記光学系が複数のレンズから構成され、前記像面側カバー部材または前記光源側カバー部材における反射光が前記複数のレンズの内のｎ番目のレンズ内を透過し、ｎ＋１番目のレンズの外側を通過するように構成することを特徴とする請求項１乃至４のいずれか１項に記載の光走査装置。
【請求項７】
前記ｎ番目のレンズと前記ｎ＋１番目のレンズとの間に前記反射光をカットする遮光部材を配置したことを特徴とする請求項５または６に記載の光走査装置。
【請求項８】
前記光学系が複数のレンズから構成され、前記像面側カバー部材または前記光源側カバー部材における反射光が前記複数のレンズの内のｎ＋１番目のレンズの上面または下面に反射光が当たるが、ｎ番目のレンズでは前記反射光がそのレンズ内を透過するように構成し、前記ｎ番目のレンズと前記ｎ＋１番目のレンズとの間に前記反射光をカットする遮光部材を配置したことを特徴とする請求項１乃至４のいずれか１項に記載の光走査装置。
【請求項９】
前記像面側カバー部材と前記光源からの光が前記ポリゴンモータに入射する光源側カバー部材とが１枚の共通部材からなることを特徴とする請求項１または２に記載の光走査装置。
【請求項１０】
前記光源側カバー部材と、前記ポリゴンミラーから走査光が像面に向け出射する像面側カバー部材とが１枚の共通部材からなることを特徴とする請求項３または４に記載の光走査装置。
【請求項１１】
請求項１乃至１０のいずれか１項に記載の光走査装置を備え、前記像面において画像を形成する画像形成装置。
【発明の詳細な説明】
【技術分野】
【０００１】
本発明は、ポリゴンモータを有する光走査装置及び画像形成装置に関するものである。
【背景技術】
【０００２】
光走査装置はポリゴンモータでポリゴンミラーを回転させてレーザ光を像面に対し走査させるものであり、レーザイメージャやレーザプリンタ等の画像形成装置や画像読取装置等に広く用いられている。下記特許文献１は、図５（ａ）のように、カバー１２０内に収容されたポリゴンミラー１３０をモータ１４０で回転させるようにしたポリゴンモータ１００においてカバーガラス１７０を光軸Ｚ方向に垂直な方向から傾けて取り付けることにより、結像レンズ１８０等の光学系からの反射光がカバーガラス１７０で反射し光軸Ｚ方向に向かうことによるゴーストを防止することを開示する。
【０００３】
しかし、図５（ｂ）に示すように、傾けたカバーガラス１７０における反射光が像面１９０側の結像レンズ(fθレンズ)１８０の上面または下面に当たった場合、その反射光あるいは散乱光が像面に到達し、画像不具合を起こすことがある。または、カバーガラス１７０が光源側のカバーガラスである場合、光源(半導体レーザ)に戻り、レーザ発振が不安定となる場合があり、この場合も画像不具合となる。
【０００４】
また、カバーガラス１７０が光源側と像面側で共用(１枚ガラス)の場合、光源からのレーザ光のカバーガラス１７０における反射光は、反射光量が非常に大きく、それがレンズ上面または下面にあたり、反射あるいは散乱すると重大な画像不具合となる。
【０００５】
また、fθレンズ１８０で反射した光がカバーガラス１７０で再反射する場合、ポリゴンミラー１３０の回転に伴ってカバーガラス１７０での再反射光の反射方向が変化するので、それがレンズ上面または下面に当たって、反射あるいは散乱した場合の画像不具合は広範囲に及ぶ。
【特許文献１】特開平０９−１８５００２号公報
【発明の開示】
【発明が解決しようとする課題】
【０００６】
本発明は、上述のような従来技術の問題に鑑み、ポリゴンモータの光の出入口のカバー部材における反射光が光源側のレンズや像面側の結像レンズに当たって光が反射あるいは散乱して光源や像面に向かわないようにし不具合の発生を未然に防止するようにした光走査装置及び画像形成装置を提供することを目的とする。
【課題を解決するための手段】
【０００７】
上記目的を達成するために、本発明による第１の光走査装置は、筐体内にポリゴンミラーを回転可能に収容し、前記ポリゴンミラーに光源からの光が入射し、その走査光が前記筐体に設けた透光性の像面側カバー部材を介して出射するように構成されたポリゴンモータと、前記走査光を像面に結像させるためにレンズを含む光学系と、を備える光走査装置において、前記像面側カバー部材における反射光の光線経路が前記レンズの入射側に関する次の条件（１）及び前記レンズの出射側に関する次の条件（２）の少なくとも一方を満たすように構成することを特徴とする。
Ｈ＜ＲL-in、または、−Ｈ＞ＲH-in  ・・・（１）
−Ｈ＜ＲL-out、かつ、Ｈ＞ＲH-out    ・・・（２）
【０００８】
但し、Ｈ：レンズ光軸からのレンズ高さ
ＲL-in：反射光(下方光線)のレンズ入射側のレンズ光軸からの光線高さ
ＲH-in：反射光(上方光線)のレンズ入射側のレンズ光軸からの光線高さ
ＲL-out：反射光(下方光線)のレンズ出射側のレンズ光軸からの光線高さ
ＲH-out：反射光(上方光線)のレンズ出射側のレンズ光軸からの光線高さ
【０００９】
この光走査装置によれば、条件（１）を満たすと、像面側カバー部材からの反射光が像面側の光学系のレンズの入射側でレンズ外側を通過し、条件（２）を満たすと、像面側カバー部材からの反射光が像面側の光学系のレンズ内を透過するので、像面側カバー部材における反射光が像面側のレンズに当たって光が反射あるいは散乱して像面に向かうことはない。このため、画像形成等における不具合の発生を未然に防止できる。
【００１０】
上記第１の光走査装置において前記条件を満たすように前記レンズの高さ、前記レンズの厚さ、前記像面側カバー部材と前記レンズとの間隔、及び前記像面側カバー部材の前記レンズ光軸に対する傾き角度を設定することが好ましい。
【００１１】
本発明による第２の光走査装置は、光源と、筐体内にポリゴンミラーを回転可能に収容し、前記ポリゴンミラーに前記光源からの光が前記筐体に設けた透光性の光源側カバー部材を介して入射し、その走査光が像面に向けて出射するように構成されたポリゴンモータと、を備え、前記光源と前記光源側カバー部材との間に前記光源からの光を前記ポリゴンミラーに結合するためにレンズを含む光学系が配置された光走査装置において、前記光源側カバー部材における反射光の光線経路が前記レンズの、反射光入射側に関する次の条件（３）及び前記レンズの、反射光出射側に関する次の条件（４）の少なくとも一方を満たすように構成することを特徴とする。
Ｈ＜ＲL-in、または、−Ｈ＞ＲH-in  ・・・（３）
−Ｈ＜ＲL-out、かつ、Ｈ＞ＲH-out    ・・・（４）
【００１２】
但し、Ｈ：レンズ光軸からのレンズ高さ
ＲL-in：反射光(下方光線)のレンズ入射側のレンズ光軸からの光線高さ
ＲH-in：反射光(上方光線)のレンズ入射側のレンズ光軸からの光線高さ
ＲL-out：反射光(下方光線)のレンズ出射側のレンズ光軸からの光線高さ
ＲH-out：反射光(上方光線)のレンズ出射側のレンズ光軸からの光線高さ
【００１３】
この光走査装置によれば、条件（３）を満たすと、光源側カバー部材からの反射光が光源側の光学系のレンズの入射側でレンズ外側を通過し、条件（４）を満たすと、光源側カバー部材からの反射光が光源側の光学系のレンズ内を透過するので、光源側カバー部材における反射光が光源側のレンズに当たって反射あるいは散乱して光源に向かうことはない。このため、光源が半導体レーザである場合に、レーザ発振が不安定となることがなく、画像形成等における不具合の発生を未然に防止できる。
【００１４】
上記第２の光走査装置において前記条件を満たすように前記レンズの高さ、前記レンズの厚さ、前記光源側カバー部材と前記レンズとの間隔、及び前記光源側カバー部材の前記レンズ光軸に対する傾き角度を設定することが好ましい。
【００１５】
上記第１または第２の光走査装置において前記光学系が複数のレンズから構成され、前記像面側カバー部材または前記光源側カバー部材より数えて前記複数のレンズの内のｎ番目（ｎ＝１，２，３，・・・）のレンズ高さＨｎをｎ＋１番目のレンズ高さＨｎ＋１よりも高くする（Ｈｎ＞Ｈｎ＋１、または、｜−Ｈｎ｜＞｜−Ｈｎ＋１｜）ことで、反射光がｎ番目のレンズを透過してもｎ＋１番目のレンズの外側を通過するようにできる。
【００１６】
また、前記光学系が複数のレンズから構成され、前記像面側カバー部材または前記光源側カバー部材における反射光が前記複数のレンズの内のｎ番目（ｎ＝１，２，３，・・・）のレンズ内を透過し、ｎ＋１番目のレンズの外側を通過するように構成できる。なお、このような条件を満たすように前記レンズの高さ、前記レンズの厚さ、前記光源側カバー部材と前記レンズとの間隔、及び前記光源側カバー部材の前記レンズ光軸に対する傾き角度、更に、ｎ番目のレンズとｎ＋１番目のレンズとの間隔を設定する。
【００１７】
上述の各場合、前記ｎ番目のレンズと前記ｎ＋１番目のレンズとの間に前記反射光をカットする遮光部材を配置することで、ｎ＋１番目のレンズに光軸ずれ等があっても、反射光を確実に像面側または光源側に向かわせないようにできる。
【００１８】
また、前記光学系が複数のレンズから構成され、前記像面側カバー部材または前記光源側カバー部材における反射光が前記複数のレンズの内のｎ＋１番目のレンズの上面または下面に反射光が当たるが、ｎ番目（ｎ＝１，２，３，・・・）のレンズでは前記反射光がそのレンズ内を透過するように構成し、前記ｎ番目のレンズと前記ｎ＋１番目のレンズとの間に前記反射光をカットする遮光部材を配置することで、ｎ＋１番目のレンズの上面または下面に反射光が当たっても（上記式（（１）または式（３）を満たさない）、ｎ番目のレンズで反射光がそのレンズ内を透過するとともに、ｎ番目のレンズとｎ＋１番目のレンズとの間に反射光をカットする遮光部材を配置したので、ｎ＋１番目のレンズに光軸ずれ等があっても、反射光を確実に像面側または光源側に向かわせないようにできる。
【００１９】
また、上記第１の光走査装置において前記像面側カバー部材と前記光源からの光が前記ポリゴンモータに入射する光源側カバー部材とが１枚の共通部材からなることで、ポリゴンモータにおける部品点数を削減でき、また光源からの共通カバー部材における反射光の反射光量が大きくとも、その散乱あるいは反射を防止できるので、画像不具合を未然に防止できる。
【００２０】
また、上記第２の光走査装置において前記光源側カバー部材と、前記ポリゴンミラーから走査光が像面に向け出射する像面側カバー部材とが１枚の共通部材からなることで、ポリゴンモータにおける部品点数を削減でき、また光源からの共通カバー部材における反射光の反射光量が大きくとも、その再反射あるいは散乱を防止できるので、画像不具合を未然に防止できる。
【００２１】
本発明による画像形成装置は、上述の第１または第２の光走査装置を備え、前記像面において画像を形成するように構成された。これにより、像面において画像を形成した場合、画像不具合を未然に防止できるので、画像品質を維持できる。
【発明の効果】
【００２２】
本発明の光走査装置及び画像形成装置によれば、ポリゴンモータの光の出入口のカバー部材における反射光が光源側のレンズや像面側の結像レンズに当たって光が反射あるいは散乱して光源や像面に向かわないようにし不具合の発生を未然に防止できる。
【発明を実施するための最良の形態】
【００２３】
以下、本発明を実施するための最良の形態について図面を用いて説明する。図１は本実施の形態による光走査装置を概略的に示す平面図である。図２は図１の要部を示す部分側面図である。
【００２４】
図１に示すように、本実施の形態による光走査装置１は、レーザ光を出射するレーザダイオード等からなるレーザ光源１１と、レーザ光源１１からのレーザ光が第１のカバー部材５を通して入射しモータ２により回転軸４を中心に回転するポリゴンミラー３に入射し、その走査光が第２のカバー部材６を通して出射するポリゴンモータ１０と、第２のカバー部材６を通して出射した光を像面２２に結像させるためのｆθレンズ等の複数のレンズ等から構成される結像光学系２１と、を備える。
【００２５】
レーザ光源１１とポリゴンモータ１０の第１のカバー部材５との間には、光源側にコリメータレンズ１２が配置され、第１のカバー部材５側にシリンドリカルレンズ１３が配置されており、レーザ光源１１からのレーザ光がレンズ１２、１３の光学系によりポリゴンミラー３に結像される。
【００２６】
ポリゴンモータ１０は、筐体９内にモータ２とポリゴンミラー３を収容し、筐体９の光入口に第１のカバー部材５を配置し、筐体９の光出口に第２のカバー部材６を配置している。
【００２７】
第１のカバー部材５及び第２のカバー部材６はガラス等の透光性の平板から構成されており、第２のカバー部材６は図２のように、レンズ光軸ａの垂線に対し傾き角度θで傾けて配置されている。第１のカバー部材５もレンズ光軸ｂの垂線に対し同様にして傾けて配置されている。
【００２８】
光走査装置１は、レーザ光源１１からのレーザ光をポリゴンモータ１０で走査し、その走査光が結像光学系２１を介して像面２２に結像し、像面２２上で図１の主走査方向ｃに主走査され、例えば画像形成を行う。
【００２９】
次に、図１の光走査装置１においてレーザ光源１１からのレーザ光が第１のカバー部材５の表面で反射した反射光がコリメータレンズ１２やシリンドリカルレンズ１３の上面や下面に当たって反射あるいは散乱してレーザ光源１１に向かったり、第２のカバー部材６を通して出射した光が結像光学系２１のレンズから反射し第２のカバー部材６で再反射して結像光学系２１のレンズの上面や下面に当たって反射あるいは散乱して像面２２に向かうことの防止策について説明する。
【００３０】
図２に示すように、図１の光走査装置１は、図１の第２のカバー部材６における反射光Ａ，Ｃの各光線経路が結像光学系２１のレンズ２１ａの外側を通過し、また反射光Ｂの光線経路がレンズ２１ａ内を透過するように構成されている。
【００３１】
即ち、次式（１）、（２）を満たすように、レンズ高さＨ、レンズ厚さＤ、第２のカバー部材６とレンズ２１ａとの光軸ａ方向の間隔Ｓ、及び第２のカバー部材６のレンズ光軸ａに対する傾き角度θを設定する。
【００３２】
レンズ高さＨ及び光線高さＲは、図２の光軸ａから上方を＋、下方を−とする。また、反射光の上方光線及び下方光線は、図２のように、反射光Ａ，Ｂ，Ｃの主光線Ａ１，Ｂ１，Ｃ１に対し、主光線より＋側を上方光線Ａ２，Ｂ２，Ｃ２、主光線より−側を下方光線Ａ３，Ｂ３，Ｃ３とする。
【００３３】
Ｈ＜ＲL-in、または、−Ｈ＞ＲH-in  ・・・（１）
−Ｈ＜ＲL-out、かつ、Ｈ＞ＲH-out    ・・・（２）
【００３４】
但し、Ｈ：レンズ光軸からのレンズ高さ
ＲL-in：反射光(下方光線Ａ３，Ｃ３)のレンズ入射側のレンズ光軸からの光線高さ
ＲH-in：反射光(上方光線Ａ２，Ｃ２)のレンズ入射側のレンズ光軸からの光線高さ
ＲL-out：反射光(下方光線Ｂ３)のレンズ出射側のレンズ光軸からの光線高さ
ＲH-out：反射光(上方光線Ｂ２)のレンズ出射側のレンズ光軸からの光線高さ
【００３５】
図２のように、レンズ２１ａの高さＨは、反射光Ａの下方光線Ａ３に対しレンズ２１ａの入射側（ｉｎ）に関して上記式（１）のＨ＜ＲL-in、を満たし、反射光Ｃの上方光線Ｃ２に対し同じく式（１）の−Ｈ＞ＲH-inを満たしている。
【００３６】
また、反射光Ｂに関し、レンズ２１ａの高さＨは、上方光線Ｂ２及び下方光線Ｂ３がレンズ２１ａのレンズ出射側（ｏｕｔ）に関して上記式（２）の−Ｈ＜ＲL-out、かつ、Ｈ＞ＲH-outを満たしている。
【００３７】
図１，図２の光走査装置１によれば、条件（１）を満たすと、カバー部材６からの反射光Ａ，Ｃが結像光学系２１のレンズ２１ａの入射側でレンズ上面２１ｂまたは下面２１ｃの外側を通過し、条件（２）を満たすと、反射光Ｂが結像光学系２１のレンズ２１ａ内を透過するので、カバー部材６における反射光Ａ，Ｂ，Ｃがレンズ２１ａの上面２１ｂ、下面２１ｃに当たって光が反射あるいは散乱して像面２２に向かうことはない。このため、画像形成等における不具合の発生を未然に防止できる。
【００３８】
また、レンズ２１ａでの反射光がカバー部材６で再反射した再反射光の反射方向はポリゴンミラー３の回転に伴って比較的大きく変化し、レンズ上面または下面に当たり、反射あるいは散乱が起きると、画像不具合は像面２２において広範囲に及ぶが、上述の図２のように構成することでかかる反射光のレンズ上面での反射あるいは散乱を未然に防止できる。
【００３９】
なお、図２における第２のカバー部材６を図１の光源側の第１のカバー部材５と、図２におけるレンズ２１ａを図１の光源側のレンズ１２，１３と、光軸ａを光軸ｂと置き換えることで、同様にして、上述の条件（３）、（４）を満たすことにより、光源側の第１のカバー部材５からの反射光がレンズの入射側でレンズ１２，１３外側を通過し、または、反射光がレンズ１２，１３内を透過するので、光源側のカバー部材６における反射光が光源側のレンズに当たって光が反射あるいは散乱してレーザ光源１１に向かうことはない。このため、半導体レーザからなるレーザ光源１１においてレーザ発振が不安定となることがなく、画像形成等における不具合の発生を未然に防止できる。
【００４０】
次に、図１の結像光学系２１が複数のレンズを含む場合について図３を参照して説明する。図３は図１の結像光学系が複数のレンズを含む場合の要部を示す部分側面図である。
【００４１】
図３のように、像面側の第２のカバー部材６からｎ番目（ｎ＝１，２，３・・・）のレンズ３１の光軸ａからの高さＨｎが、ｎ＋１番目のレンズ３２の光軸ａからの高さＨｎ＋１に対し、Ｈｎ＞Ｈｎ＋１、または、｜−Ｈｎ｜＞｜−Ｈｎ＋１｜を満たすように設定し、かつ、条件（１）、（２）を満たすようにレンズ高さＨｎ、レンズ厚さＤｎ、カバー部材６とレンズ３１との間隔Ｓｎ、レンズ３１と３２との間隔Ｓｎ＋１、及びカバー部材６の光軸ａの垂線からの傾き角度θを設定する。
【００４２】
即ち、像面側の第２のカバー部材６での反射光Ｅの光線経路は図３のようになり、反射光Ｅは、上方光線Ｅ２を含めてｎ番目のレンズ３１内を透過し、下方光線Ｅ３がｎ＋１番目のレンズ３２の外側を通過する。これにより、主光線Ｅ１，主光線から＋側の上方光線Ｅ２、主光線から−側の下方光線Ｅ３からなる反射光Ｅが、レンズ３１、３２の各上面、各下面に当たって反射あるいは散乱して像面２２に向かうことはない。
【００４３】
また、図３のように、ｎ番目のレンズ３１とｎ＋１番目のレンズ３２との間に第２のカバー部材６での反射光をカットする遮光部材３０を配置することで、ｎ＋１番目のレンズ３２に光軸ずれ等があっても、反射光を確実に像面側に向かわせないようにできる。
【００４４】
また、光学設計やレンズ加工の制約等により図３のｎ＋１番目のレンズ３２の高さが低くなっておらず、図３の破線で示すように、ｎ＋１番目のレンズ３２の上面３２ａ（または下面）に反射光が当たる場合にも、ｎ番目のレンズ３１とｎ＋１番目のレンズ３２との間に反射光をカットする遮光部材を配置することで、反射光を確実に像面側に向かわせないようにできる。
【００４５】
なお、図３における第２のカバー部材６を図１の光源側の第１のカバー部材５と、図３におけるレンズ３１を図１のシリンドリカルレンズ１３と、レンズ３２を図１のコリメータレンズ１２と、光軸ａを光軸ｂと置き換え、図３と同様にして、光源側の第１のカバー部材５からの反射光がシリンドリカルレンズ１３内を透過し、コリメータレンズ１２の外側を通過するように、レンズ１２，１３の高さ、レンズ１２，１３の厚さ、カバー部材５とレンズ１３の間隔、カバー部材５の光軸ｂの垂線に対する角度、レンズ１２と１３との間隔を設定する。かかる構成により、光源側のカバー部材６における反射光がレンズ１３，１２に当たって光が反射あるいは散乱してレーザ光源１１に向かうことはない。また、コリメータレンズ１２の上面または下面に反射光が当たる系では、シリンドリカルレンズ１３とコリメータレンズ１２との間に反射光をカットする遮光部材（図３の遮光部材３０と同様に）を配置してもよい。
【００４６】
以上のように、本実施の形態の光走査装置１によれば、光軸ｂ，ａに対し傾けて配置したカバー部材５，６での反射光が光源側のレンズ(シリンドリカルレンズ１３等)または像面側のレンズ(fθレンズ等)２１ａ，３１，３２の上面・下面に当たらず、レーザ光源１１や像面２２に向かうことはない。
【００４７】
図１の光走査装置１をレーザプリンタやレーザイメージャ等の画像形成装置に適用し、図１の像面２２の位置にフィルム等の記録媒体を配置し、図１のレーザ光源１１からのレーザ光を結像光学系２１で像面２２に結像しポリゴンモータ１０で主走査方向ｃに主走査しながら図１の紙面垂直方向に記録媒体を副走査することで、記録媒体に画像を形成することができる。かかる画像形成装置において図１の光走査装置１のポリゴンモータ１０のカバー部材５，６における反射光がレーザ光源１１や像面２２に向かうことはないので、記録媒体への画像形成時に画像不具合を起こすことはなく、良好な画像を得ることができる。
【００４８】
次に、図１の光走査装置の変形例について図４を参照して説明する。図４は図１の光走査装置の変形例を概略的に示す平面図である。
【００４９】
図４の光走査装置１’のポリゴンモータ４０の筐体４９はガラス等の透光性板材からなるカバー部材４１を有し、レーザ光源１１からのレーザ光の入射及びポリゴンミラー３からの走査光の出射が同一のカバー部材４１を通して行われるようになっている。従って、共通のカバー部材４１における反射光がレンズの上面・下面等に当たって反射あるいは散乱して像面２２側に向うことがなくかつレーザ光源１１に向うことがないように上述の図２，図３と同様の対策を取ることで、レーザ光源１１からの共通のカバー部材４１における反射光の反射光量が大きくとも、その再反射あるいは散乱を防止できるので、画像形成装置に適用した場合、画像不具合等を未然に防止できる。また、１枚のカバー部材４１で光源側及び像面側のカバー部材を共用するので、ポリゴンモータにおける部品点数を削減できる。
【００５０】
以上のように本発明を実施するための最良の形態について説明したが、本発明はこれらに限定されるものではなく、本発明の技術的思想の範囲内で各種の変形が可能である。例えば、図３における複数のレンズの構成は３枚以上であってもよく、例えば、カバー部材における反射光が、カバー部材からｎ番目のレンズ及びｎ＋１番目のレンズ内を透過し、ｎ＋２番目のレンズの外側を通過するように構成することで、図３と同様の効果を得ることができる。この場合、ｎ＋１番目のレンズとｎ＋２番目のレンズとの間に図３と同様の遮光部材を配置してもよい。
【図面の簡単な説明】
【００５１】
【図１】本実施の形態による光走査装置を概略的に示す平面図である。
【図２】図１の要部を示す部分側面図である。
【図３】図１の光学系が複数のレンズを含む場合の要部を示す部分側面図である。
【図４】図１の光走査装置の変形例を概略的に示す平面図である。
【図５】従来のポリゴンミラーの側面図（ａ）及び従来のポリゴンミラーのカバー部材での反射光による散乱光の発生を説明するための平面図（ｂ）である。
【符号の説明】
【００５２】
１，１’ 光走査装置
３ ポリゴンミラー
５ 第１のカバー部材（光源側カバー部材）
６ 第２のカバー部材（像面側カバー部材）
１０，４０ ポリゴンモータ
１１ レーザ光源
１２ コリメータレンズ
１３ シリンドリカルレンズ
２１ 結像光学系
２１ａ レンズ
２１ｂ レンズ上面
２１ｃ レンズ下面
２２ 像面
３０ 遮光部材
３１ レンズ（ｎ番目のレンズ）
３２ レンズ（ｎ＋１番目のレンズ）
３２ａ 上面
４１ カバー部材
θ カバー部材のレンズ光軸の垂線に対する傾き角度
Ａ，Ｂ，Ｃ，Ｅ 反射光
Ａ１，Ｂ１，Ｃ１，Ｅ１ 反射光の主光線
Ａ２，Ｂ２，Ｃ２，Ｅ２ 反射光の上方光線
Ａ３，Ｂ３，Ｃ３，Ｅ３ 反射光の下方光線
Ｄ，Ｄｎ レンズ厚さ
Ｈ，Ｈｎ レンズ高さ
Ｒ 光線高さ
Ｓ，Ｓｎ 間隔
ａ 像面側のレンズ光軸
ｂ 光源側のレンズ光軸
ｃ 主走査方向
【図１】
2005189435.tif 000003
【図２】
2005189435.tif 000004
【図３】
2005189435.tif 000005
【図４】
2005189435.tif 000006
【図５】
2005189435.tif 000007